(57)【特許請求の範囲】
【請求項１】
データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体に音声データを記録する記録装置であって、
外部から音声データを入力する音声データ入力手段と、
上記音声データ入力手段により入力された音声データを上記記憶手段に応じた所定のフォーマットにエンコードする第１のエンコード手段と、
上記第１のエンコード手段によりエンコードされた音声データを上記第１の通信手段に非接触で送信する第２の通信手段と、
上記音声データ入力手段により入力された音声データを上記記録媒体の記録フォーマットにエンコードする第２のエンコード手段とを有し、
上記音声データ入力手段が上記記録媒体に記録する音声データを入力する手段であり、
上記音声データ入力手段により入力された音声データは、上記第２のエンコード手段に入力されるとともに、その一部が、上記第１のエンコード手段に入力され、
上記第１のエンコード手段は、上記音声データ入力手段により入力された、上記記録媒体に記録する音声データの一部を上記記憶手段に応じた所定のフォーマットにエンコードすることを特徴とする記録装置。
【請求項２】
上記第２の通信手段は、上記第１の通信手段との間で非接触でデータの送受信を行う機能を有し、上記第１の通信手段から送信された音声データを非接触で受信するとともに、
上記第２の通信手段が受信した所定のフォーマットの音声データをデコードするデコード手段と、
上記デコード手段によりデコードされた音声データを音声として出力する音声出力手段とをさらに有することを特徴とする請求項１記載の記録装置。
【請求項３】
上記音声データを圧縮する圧縮手段をさらに備え、上記圧縮手段は、上記第１の通信手段に送信する音声データを、上記記録媒体に記録する音声データの圧縮率よりも高い圧縮率で圧縮することを特徴とする請求項１または２記載の記録装置。
【請求項４】
上記音声データを圧縮する圧縮手段と、
圧縮された音声データを伸長する圧縮データ伸長手段とをさらに備え、
上記圧縮手段は、上記第１の通信手段に送信する音声データを、上記記録媒体に記録する音声データの圧縮率よりも高い圧縮率で圧縮し、
上記デコード手段は、上記第２の通信手段が受信した所定のフォーマットの音声データをデコードして、上記圧縮手段で圧縮された圧縮音声データに戻し、
上記圧縮データ伸長手段は、上記デコード手段でデコードされた圧縮音声データを、上記音声出力手段により出力する前に、伸長することを特徴とする請求項２記載の記録装置。
【請求項５】
データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体への音声データの記録と、上記記録媒体に記録された音声データの再生とを行う記録再生装置であって、
外部から音声データを入力する音声データ入力手段と、
上記音声データ入力手段により入力された音声データを上記記憶手段に応じた所定のフォーマットにエンコードする第１のエンコード手段と、
上記第１のエンコード手段によりエンコードされた音声データを上記第１の通信手段に非接触で送信する第２の通信手段と、
上記音声データ入力手段により入力された音声データを上記記録媒体の記録フォーマットにエンコードする第２のエンコード手段と、
音声データを電気信号に変換することで、上記第２のエンコード手段によりエンコードされた音声データを上記記録媒体に記録する一方、上記記録媒体に記録された音声データを再生する記録再生手段と、
上記記録再生手段により再生された音声データをデコードするデコード手段と、
上記デコード手段によりデコードされた音声データを外部に出力する音声データ出力手段とを有し、
上記音声データ入力手段が上記記録媒体に記録する音声データを入力する手段であり、
上記音声データ入力手段により入力された音声データは、上記第２のエンコード手段に入力されるとともに、その一部が、上記第１のエンコード手段に入力され、
上記第１のエンコード手段は、上記音声データ入力手段により入力された、上記記録媒体に記録する音声データの一部を上記記憶手段に応じた所定のフォーマットにエンコードすることを特徴とする記録再生装置。
【請求項６】
データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体に記録された音声データを再生する再生装置であって、
音声データを上記記憶手段に応じた所定のフォーマットにエンコードするエンコード手段と、
上記エンコード手段によりエンコードされた音声データを上記第１の通信手段に非接触で送信する第２の通信手段と、
上記記録媒体に記録された音声データを電気信号に変換することで上記記録媒体に記録された音声データを再生する再生手段と、
上記再生手段により再生された音声データをデコードする第１のデコード手段と、
上記第１のデコード手段によりデコードされた音声データを外部に出力する音声データ出力手段とを有し、
上記第１のデコード手段によりデコードされた音声データは、上記音声データ出力手段を介して外部に出力されるとともに、その一部が、上記エンコード手段に入力され、
上記エンコード手段は、上記再生手段により再生されて上記第１のデコード手段によりデコードされた音声データの一部を、上記記憶手段に応じた所定のフォーマットにエンコードすることを特徴とする再生装置。
【請求項７】
上記第２の通信手段は、上記第１の通信手段との間で非接触でデータの送受信を行う機能を有し、上記第１の通信手段から送信された音声データを非接触で受信するとともに、
上記第２の通信手段が受信した所定のフォーマットの音声データをデコードする第２のデコード手段と、
上記第２のデコード手段によりデコードされた音声データを音声として出力する音声出力手段とをさらに有することを特徴とする請求項６記載の再生装置。
【請求項８】
上記音声データを圧縮する圧縮手段をさらに備え、上記圧縮手段は、上記第１の通信手段に送信する音声データを、上記記録媒体に記録された音声データの圧縮率よりも高い圧縮率で圧縮することを特徴とする請求項６または７記載の再生装置。
【請求項９】
上記音声データを圧縮する圧縮手段と、
圧縮された音声データを伸長する圧縮データ伸長手段とをさらに備え、
上記圧縮手段は、上記第１の通信手段に送信する音声データを、上記記録媒体に記録する音声データの圧縮率よりも高い圧縮率で圧縮し、
上記第２のデコード手段は、上記第２の通信手段が受信した所定のフォーマットの音声データをデコードして、上記圧縮手段で圧縮された圧縮音声データに戻し、
上記圧縮データ伸長手段は、上記第２のデコード手段でデコードされた圧縮音声データを、上記音声出力手段により出力する前に、伸長することを特徴とする請求項７記載の再生装置。
【請求項１０】
データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体への音声データの記録と、上記記録媒体に記録された音声データの再生とを行う記録再生装置であって、
音声データを上記記憶手段に応じた所定のフォーマットにエンコードする第１のエンコード手段と、
上記第１のエンコード手段によりエンコードされた音声データを上記第１の通信手段に非接触で送信する第２の通信手段と、
外部から音声データを入力する音声データ入力手段と、
上記音声データ入力手段により入力された音声データを上記記録媒体の記録フォーマットにエンコードする第２のエンコード手段と、
音声データを電気信号に変換することで、上記第２のエンコード手段によりエンコードされた音声データを上記記録媒体に記録する一方、上記記録媒体に記録された音声データを再生する記録再生手段と、
上記記録再生手段により再生された音声データをデコードするデコード手段と、
上記デコード手段によりデコードされた音声データを外部に出力する音声データ出力手段とを有し、
上記デコード手段によりデコードされた音声データは、上記音声データ出力手段を介して外部に出力されるとともに、その一部が、上記第１のエンコード手段に入力され、
上記第１のエンコード手段は、上記再生手段により再生されて上記デコード手段によりデコードされた音声データの一部を、上記記憶手段に応じた所定のフォーマットにエンコードすることを特徴とする記録再生装置。
【発明の詳細な説明】
【０００１】
【発明の属する技術分野】
本発明は、光ディスク等の記録媒体若しくはディスク状あるいはテープ状等の記録媒体のカートリッジに装着して用いる記録媒体用のラベル、および該ラベルが記録媒体若しくはそのカートリッジに装着された記録媒体の記録装置並びに再生装置に関するものである。
【０００２】
【従来の技術】
従来より、例えばデジタルビデオテープに記録された記録内容の管理や検索を容易に行うべく、これら記録媒体を収容するカートリッジにフラッシュメモリ等の半導体メモリ素子を組み込み、記録時間、記録内容、タイトル等の、記録内容に関するインデックス情報を記録することを可能にした記録・再生装置が提案されている。
【０００３】
しかしながら、これらカートリッジ等に組み込まれた半導体メモリ素子の記録・再生は、例えば上記カートリッジの背面部における誤消去防止用ツメの近傍に設けられた電極を介して接触方式により行われ、上記記録・再生を適切に行うためには、上記カートリッジ側の電極を、記録・再生装置側の電極に適切に接触させる必要があり、その位置決めを精度良く行わなければならないという問題点があった。
【０００４】
そこで、近年、アンテナを介して非接触でデータの送受信を行う記録・再生装置として、ＩＣ(Integrated Circuit)メモリにインデックス情報を記憶し、このＩＣメモリとアンテナとを内包したラベルをビデオテープカートリッジに貼り付け、上記ビデオテープのインデックス情報をアンテナを介してＩＣメモリから読み取ることにより上記ビデオテープの内容の確認等を容易に行えるようにする記録・再生装置が、特開平１０−２２２８９０号公報等で提案されている。
【０００５】
図６に示すように、上記の方式を採用したビデオテープ７０におけるビデオテープカートリッジ７１では、該ビデオテープカートリッジ７１の背面のラベル貼り付け部７２に、アンテナ配線８４とＩＣメモリ８５とを内包したカートリッジラベル８０を貼り付けて使用する。
【０００６】
このカートリッジラベル８０は、例えば上質紙８１、基板８２、接着紙８３を重ね合わせた構造をしており、基板８２には巻線状のアンテナ配線８４と、該アンテナ配線８４に接続されたＩＣメモリ８５とが配置されている。上記ＩＣメモリ８５には、録画日時やタイトル等、カートリッジラベル８０を貼り付けたビデオテープ７０の記録内容に関する情報が記憶されている。
【０００７】
図７は、上記カートリッジラベル８０がビデオテープカートリッジ７１の背面に貼り付けられたビデオテープ７０を再生する、従来の再生装置９０の構成図である。
【０００８】
上記再生装置９０は、その前面に、アンテナ基板９１、表示画面９２、およびカートリッジ挿入口９３を備えている。アンテナ基板９１は、上記カートリッジラベル８０に内包されたアンテナ配線８４との間で磁束の送受信が可能であり、図示しないデータ処理部に接続されている。表示画面９２はデータ処理部から送られるデータを表示するためのものである。
【０００９】
図７に示すように、上記カートリッジラベル８０を貼り付けた、ビデオテープカートリッジ７１の背面側を、上記再生装置９０に近づけると、上記カートリッジラベル８０のＩＣメモリ８５に記憶された、ビデオテープ７０の記録内容に関する情報が、アンテナ配線８４から磁束の形で送信され、再生装置９０に設けられたアンテナ基板９１にて受信される。
【００１０】
受信されたデータがデータ処理部にてデジタルデータに復号された後、表示画面９２に送られると、この表示画面９２にはビデオテープ７０の記録内容に関する情報が表示される。ユーザは、この表示内容を見ることによって、ビデオテープ７０の記録内容を、ビデオテープ７０をカートリッジ挿入口９３に挿入して再生するに先立って容易に確認することができる。
【００１１】
【発明が解決しようとする課題】
しかしながら、上記従来の再生装置９０は、ＩＣメモリ８５の内容を小さな表示画面９２にそのままテキストで表示する構成になっているため、表示できる内容量が少なく、ビデオテープ７０の記録内容を十分に把握することができないという問題点を有している。
【００１２】
また、ビデオテープ７０の記録内容に関する情報として、録画日時やタイトル等を記憶していたとしても、その情報だけで内容を特定することは困難である場合があるという問題点も有している。
【００１３】
さらに、目の不自由な人や視力の低下した人が、記録媒体として、ビデオテープではなく、例えば音楽用のカセットテープやＭＤ(mini disk) 等のインデックス情報を確認しようとする場合、上記従来の再生装置では、表示される内容を確認することができないという問題点がある。
【００１４】
本発明の目的は、上記従来の問題点に鑑みなされたものであり、記録媒体若しくはそのカートリッジに装着され、非接触でデータの書き込みや読み出しが可能であり、かつ、記録媒体の記録内容に関する情報を容易に確認することができる記録媒体用のラベル、および、該ラベルにその記録媒体の記録内容に関する情報を記録するための機能を備えた上記記録媒体の記録装置および再生装置、並びに、該ラベルに記録された、記録媒体の記録内容に関する情報を容易に確認することができる機能を備えた上記記録媒体の記録装置および再生装置を提供することにある。
【００１５】
【課題を解決するための手段】
本発明にかかるラベルは、上記課題を解決するために、データの送信または受信を非接触（つまり、外部の装置、例えば後述する記録装置や再生装置の通信手段と非接触）で行う通信手段（例えばアンテナ配線）と、上記通信手段が送受信するデータの書き込みおよび読み出しを行う記憶手段（例えばＩＣメモリ）とを有し、記録媒体（例えば光ディスク等）若しくはそのカートリッジ（例えば光ディスク等のディスク状あるいはテープ状の記録媒体のカートリッジ等）に装着される記録媒体用のラベルであって、上記記憶手段は、音声データを記憶手段に応じた所定のフォーマットで記憶することを特徴としている。
【００１６】
上記の構成によれば、上記ラベルは、その記憶手段に、音声データを該記憶手段に応じた所定のフォーマットで記憶することにより、記録媒体に記憶される、あるいは記憶された、音声データの一部や、外部から例えば口頭で入力した、上記記録媒体の記録内容に関する情報を、音声データの形態で上記ラベルの記憶手段に記憶させておき、この音声データを非接触で読み出して音声で出力することによって、上記記録媒体に記録された記録内容を、容易かつ確実に確認することができる。
【００１７】
また、上記の構成によれば、上記ラベルは、その記憶手段に、音声データを該記憶手段に応じた所定のフォーマットで記憶することにより、例えば記録媒体に記憶される、あるいは記憶された、音声データの一部を記憶することが可能であり、記録日時やタイトル等では内容の特定が困難な記録内容を容易に確認、特定することができる。
【００１８】
上記ラベルは、例えば音楽用のカセットテープやＭＤ等、音声データを記録するための記録媒体用のラベルとして特に好適であり、目の不自由な人や視力の低下した人であっても、記録媒体の記録内容を容易に確認することができる。
【００１９】
本発明にかかる記録装置は、上記課題を解決するために、データの受信を非接触で行う第１の通信手段（例えばアンテナ配線）と、該第１の通信手段が受信したデータの書き込みを行う記憶手段（例えばＩＣメモリ）とを有し、上記記憶手段が音声データを該記憶手段に応じた所定のフォーマットで記憶するラベルが記録媒体（例えば光ディスク等）若しくはそのカートリッジ（例えば光ディスク等のディスク状あるいはテープ状の記録媒体のカートリッジ等）に装着された記録媒体に音声データを記録する記録装置であって、外部から音声データを入力する音声データ入力手段（例えば音声データ入力端子やマイク等）と、上記音声データ入力手段により入力された音声データを上記記憶手段に応じた所定のフォーマットにエンコードするエンコード手段（例えばメモリデータエンコード回路）と、上記エンコード手段によりエンコードされた音声データを上記第１の通信手段に非接触で送信する第２の通信手段（例えば記録位置にて上記第１の通信手段と近接するように当該記録装置に設けられたアンテナ基板）とを有することを特徴としている。
【００２０】
上記の構成によれば、上記ラベルが装着された記録媒体の記録内容に関する情報を、音声データとして非接触方式にて上記ラベルの通信手段である第１の通信手段に送信する機能を備えた、上記記録媒体の記録装置を提供することができる。これにより、上記記録媒体の記録内容に関する情報を、音声データとして上記ラベルに書き込むことができる。また、この結果、この音声データを非接触で読み出して音声で出力することによって、上記記録媒体に記録された記録内容を、容易かつ確実に確認することができる。
【００２１】
本発明にかかる記録装置は、上記課題を解決するために、上記音声データ入力手段が上記記録媒体に記録する音声データを入力する手段（例えば音声データ入力端子）であり、上記エンコード手段は、上記音声データ入力手段により入力された、上記記録媒体に記録する音声データの一部を上記記憶手段に応じた所定のフォーマットにエンコードすることを特徴としている。
【００２２】
上記の構成によれば、上記記録媒体に音声データを記録する際に、上記記録媒体に記録する音声データの一部を、上記ラベルの記憶手段にも同時に記憶させることができ、また、記録を行った記録媒体の記録内容の一部を自動的に上記ラベルの記憶手段に記憶させることが可能となる。つまり、上記の構成によれば、上記記録媒体に記録される音声データを、上記記録媒体の記録内容として上記ラベルの通信手段である第１の通信手段に音声データの形で送信することができる。
【００２３】
このため、上記ラベルの記憶手段に上記記録媒体の記録内容を記録する手間を省くことができると共に、上記記録媒体に記憶される音声データの一部を上記ラベルの記憶手段に記憶させることができることから、その記録内容を正確に記憶させることができる。また、上記記録装置を用いて記録された記録内容を確認することにより、記録日時やタイトル等では内容の特定が困難な記録内容を容易に確認、特定することができる。
【００２４】
本発明にかかる記録装置は、上記課題を解決するために、上記音声データ入力手段が、上記記録媒体の記録内容に関する情報を外部から音声で入力する手段（例えばマイク）であり、上記エンコード手段は、上記音声データ入力手段により外部から入力された、上記記録媒体の記録内容に関する情報を、上記記憶手段に応じた所定のフォーマットにエンコードすることを特徴としている。
【００２５】
上記の構成によれば、上記記録媒体に音声データを記録する動作とは別に上記記録媒体の記憶内容を上記ラベルの記憶手段に記憶させることができるので、上記記録媒体に記録する音声データ以外の、上記記録媒体の記憶内容に関する情報を、例えば口頭で、外部から入力することができる。また、上記の構成によれば、上記ラベルの記憶手段への音声データの書き込みを、上記記録媒体に音声データを記録する動作とは別に行うことで、記録媒体を、その記録位置に位置させる必要がない。このため、上記第２の通信手段を、上記記録装置の外装面に設けることが可能であり、このように上記第２の通信手段を当該記録装置の外装面に設けることにより、記録媒体をわざわざ記録装置に挿入することなく近づけるだけで、容易かつ短時間に、記録媒体の記録内容に関する情報、例えばインデックス情報を、上記第２の通信手段に送信、つまり、上記ラベルの記憶手段に記憶させることが可能となる。
【００２６】
本発明にかかる記録装置は、上記課題を解決するために、上記音声データを圧縮する圧縮手段（例えば音声データ圧縮回路）をさらに備え、上記圧縮手段は、上記第１の通信手段に送信する音声データを、上記記録媒体に記録する音声データの圧縮率よりも高い圧縮率で圧縮することを特徴としている。
【００２７】
上記の構成によれば、上記第１の通信手段に送信する音声データ、つまり、上記ラベルの記憶手段に書き込む音声データの圧縮率を、上記記録媒体に記録する音声データの圧縮率よりも高くすることで、上記記憶手段に記憶すべきデータ量を小さくすることができる。ラベルにメモリ機能を持たせるために記憶手段をラベルに用いるためには、該記憶手段としては、できるだけ薄く、また、得られたラベルは柔軟性を有することが望ましい。このため、上記の構成によれば、記憶手段として、あまり大きな容量を持つことができない例えばＩＣメモリ等の記憶手段を用いた場合であっても、より多くのデータを記憶手段に記憶させることが可能となる。上記ラベルの記憶手段としては、できるだけ薄く、また、柔軟性を有するラベルを作成する上で、例えばＩＣメモリが好適に用いられる。
【００２８】
本発明にかかる再生装置は、上記課題を解決するために、データの受信を非接触で行う第１の通信手段（例えばアンテナ配線）と、該第１の通信手段が受信したデータの書き込みを行う記憶手段（例えばＩＣメモリ）とを有し、上記記憶手段が音声データを該記憶手段に応じた所定のフォーマットで記憶するラベルが記録媒体（例えば光ディスク等）若しくはそのカートリッジ（例えば光ディスク等のディスク状あるいはテープ状の記録媒体のカートリッジ等）に装着された記録媒体に記録された音声データを再生する再生装置であって、音声データを上記記憶手段に応じた所定のフォーマットにエンコードするエンコード手段（例えば例えばメモリデータエンコード回路）と、上記エンコード手段によりエンコードされた音声データを上記第１の通信手段に非接触で送信する第２の通信手段（例えば再生位置にて上記第１の通信手段と近接するように当該再生装置に設けられたアンテナ基板）とを有することを特徴としている。
【００２９】
上記の構成によれば、上記ラベルが装着された記録媒体の記録内容に関する情報を、音声データとして非接触方式にて上記ラベルの通信手段である第１の通信手段に送信する機能を備えた、上記記録媒体の再生装置を提供することができる。これにより、上記記録媒体の記録内容に関する情報を、音声データとして上記ラベルに書き込むことができる。また、この結果、この音声データを非接触で読み出して音声で出力することによって、上記記録媒体に記録された記録内容を、容易かつ確実に確認することができる。
【００３０】
本発明にかかる再生装置は、上記課題を解決するために、上記記録媒体に記録された音声データを再生する再生手段（例えば、光ピックアップやディスクデータデコード回路等）を備え、上記エンコード手段は、上記再生手段により再生された音声データの一部を上記記憶手段に応じた所定のフォーマットにエンコードすることを特徴としている。
【００３１】
上記の構成によれば、上記記録媒体から音声データを再生する際に、上記記録媒体に記録された音声データの一部を、上記ラベルの記憶手段にも同時に記憶させることができ、また、再生を行った記録媒体の記録内容の一部を自動的に上記ラベルの記憶手段に記憶させることが可能となる。つまり、上記の構成によれば、上記記録媒体に記録された音声データを、上記記録媒体の記録内容として上記ラベルの通信手段である第１の通信手段に音声データの形で送信することができる。
【００３２】
このため、上記ラベルの記憶手段に上記記録媒体の記録内容を記録する手間を省くことができると共に、上記記録媒体に記憶された音声データの一部を上記ラベルの記憶手段に記憶させることができることから、その記録内容を正確に記憶させることができる。また、上記再生装置を用いて再生された記録内容を確認することにより、記録日時やタイトル等では内容の特定が困難な記録内容を容易に確認、特定することができる。
【００３３】
本発明にかかる再生装置は、上記課題を解決するために、上記記録媒体の記録内容に関する情報を外部から音声で入力する音声データ入力手段（例えばマイク）を備え、上記エンコード手段は、上記音声データ入力手段により外部から入力された、上記記録媒体の記録内容に関する情報を、上記記憶手段に応じた所定のフォーマットにエンコードすることを特徴としている。
【００３４】
上記の構成によれば、上記記録媒体を再生する動作、つまり、上記記録媒体に記録された音声データを再生する動作とは別に上記記録媒体の記憶内容を上記ラベルの記憶手段に記憶させることができるので、上記記録媒体に記録された音声データ以外の、上記記録媒体の記憶内容に関する情報を、例えば口頭で、外部から入力することができる。また、上記の構成によれば、上記ラベルの記憶手段への音声データの書き込みを、上記記録媒体を再生する動作とは別に行うことで、記録媒体を、その再生位置に位置させる必要がない。このため、上記第２の通信手段を、上記再生装置の外装面に設けることが可能であり、このように上記第２の通信手段を当該再生装置の外装面に設けることにより、記録媒体をわざわざ再生装置に挿入することなく近づけるだけで、容易かつ短時間に、記録媒体の記録内容に関する情報、例えばインデックス情報を、上記第２の通信手段に送信、つまり、上記ラベルの記憶手段に記憶させることが可能となる。
【００３５】
本発明にかかる再生装置は、上記課題を解決するために、上記音声データを圧縮する圧縮手段（例えば音声データ圧縮回路）をさらに備え、上記圧縮手段は、上記第１の通信手段に送信する音声データを、上記記録媒体に記録された音声データの圧縮率よりも高い圧縮率で圧縮することを特徴としている。
【００３６】
上記の構成によれば、上記第１の通信手段に送信する音声データ、つまり、上記ラベルの記憶手段に書き込む音声データの圧縮率を、上記記録媒体に記録された音声データの圧縮率よりも高くすることで、上記記憶手段に記憶すべきデータ量を小さくすることができる。前記したように、ラベルにメモリ機能を持たせるために記憶手段をラベルに用いるためには、該記憶手段としては、できるだけ薄く、また、得られたラベルは柔軟性を有することが望ましい。このため、上記の構成によれば、記憶手段として、あまり大きな容量を持つことができない例えばＩＣメモリ等の記憶手段を用いた場合であっても、より多くのデータを記憶手段に記憶させることが可能となる。上記ラベルの記憶手段としては、できるだけ薄く、また、柔軟性を有するラベルを作成する上で、例えばＩＣメモリが好適に用いられる。
【００３７】
本発明にかかる記録／再生装置は、上記課題を解決するために、音声データが所定のフォーマットで記憶された記憶手段（例えばＩＣメモリ）と、該記憶手段に記憶された音声データの送信を非接触で行う第１の通信手段（例えばアンテナ配線）とを有するラベルが記録媒体（例えば光ディスク等）若しくはそのカートリッジ（例えば光ディスク等のディスク状あるいはテープ状の記録媒体のカートリッジ等）に装着された記録媒体の記録および／または再生を行う記録／再生装置であって、上記第１の通信手段から送信された音声データを非接触で受信する第２の通信手段（例えば再生装置外装面に設けられたアンテナ基板）と、上記第２の通信手段が受信した所定のフォーマットの音声データをデコードするデコード手段（例えばメモリデータデコード回路）と、上記デコード手段によりデコードされた音声データを音声として出力する音声出力手段（例えばスピーカ）とを有することを特徴としている。
【００３８】
上記の構成によれば、上記ラベルには、該ラベルが装着された記録媒体の記録内容に関する情報が、音声データとして記憶されており、この音声データが、非接触で読み出されて音声にて再生されるため、上記記録媒体に記録された記録内容を、容易かつ確実に確認することができる。
【００３９】
また、上記ラベルは、その記憶手段に、音声データを該記憶手段に応じた所定のフォーマットで記憶することにより、記録媒体に記憶される、あるいは記憶された、音声データの一部を、その記憶手段に記憶させることが可能であり、記録媒体を再生することなく、記録内容を直に確認することが可能である。このため、例えば記録日時やタイトル等では内容の特定が困難な記録内容を容易に確認、特定することができる。
【００４０】
そして、上記の構成によれば、上記記録／再生装置は、上記記録媒体に音声データを記録する動作あるいは上記記録媒体に記録された音声データを再生する動作とは別に、上記記録媒体に記録された音声データを読み出す、つまり、再生することができるので、上記記録媒体をその記録位置あるいは再生位置に位置させる必要がない。このため、上記第２の通信手段を当該記録／再生装置の外装面に設けることが可能であり、このように上記第２の通信手段が、当該記録／再生装置の外装面に設けられることで、上記記録媒体を当該記録／再生装置に挿入することなく、上記第２の通信手段に近づけるだけで、音声によって容易かつ確実かつ短時間に、上記記録媒体の記録内容を確認することが可能となる。
【００４１】
上記記録／再生装置は、例えば音楽用のカセットテープやＭＤ等、音声データを記録／再生するための記録媒体の記録／再生装置として特に好適であり、目の不自由な人や視力の低下した人であっても、記録媒体の記録内容を容易に確認することができる。
【００４２】
【発明の実施の形態】
〔実施の形態１〕
本発明の実施の一形態について図１ないし図３に基づいて説明すれば、以下の通りである。
【００４３】
本実施の形態では、記録媒体若しくはそのカートリッジに装着して用いられる、記録媒体用のラベルへの音声データの書き込み並びに該記録媒体用のラベルからの音声データの読み出しに、記録媒体の記録装置を用いる場合について説明する。本実施の形態では、記録媒体の記録装置として、光ディスクカートリッジ（記録媒体のカートリッジ）に収容された書き換え可能な光ディスク（記録媒体）の記録を行なう記録装置を例に挙げて説明する。
【００４４】
図１は、本実施の形態にかかる記録媒体用のラベルとしてのカートリッジラベル２を装着した光ディスクカートリッジ１装着後の記録装置６（光ディスク記録装置）の構成を示すブロック図である。
【００４５】
上記光ディスクカートリッジ１は、その内部に、書き換え可能な光ディスク５を収容すると共に、例えば背面（つまり、該光ディスクカートリッジ１における該光ディスクカートリッジ１の記録装置６への装着方向背面側）に、上記カートリッジラベル２が装着されている。
【００４６】
上記カートリッジラベル２は、巻線状のアンテナ配線３（通信手段、第１の通信手段）とＩＣメモリ４（記憶手段）とを内包し、例えば、図２に示すように、表層となる上部シート２１、カートリッジラベル本体部である基板２２、およびカートリッジラベル装着部となる下部シート２３をこの順に重ね合わせた構造を有している。
【００４７】
上記上部シート２１は、例えば上質紙等で構成され、その表面に、任意の文字や図形を記載することが可能であり、例えば記録日時やタイトル等、上記光ディスク５に記録した記録内容に関するインデックス情報を、予め、あるいは、記録後、印刷したり、筆記具等により直接書き込んだりすることができるようになっている。
【００４８】
また、下部シート２３は、例えば接着紙等で構成され、例えば裏面に不乾燥性粘着剤が塗布され、未使用時には、その接着面に剥離紙が設けられ、使用時に、この剥離紙を剥がすことによって、上記カートリッジラベル２を、光ディスクカートリッジ１に設けられたラベル貼り付け部等のラベル装着部に装着することができるようになっている。
【００４９】
また、上記基板２２は、例えばポリイミド等を用いて構成され、該基板２２に、前記アンテナ配線３と、該アンテナ配線３に接続され、上記アンテナ配線３が送受信するデータの書き込みと読み出しとを行うＩＣメモリ４とが配置されている。
【００５０】
上記アンテナ配線３は、外部との通信部、この場合は上記記録装置６との通信部として用いられ、非接触でデータの送受信を行うことができるようになっている。つまり、上記アンテナ配線３は、カートリッジラベル２と上記記録装置６との間で無線通信、具体的には、例えば電磁界（電波）による電送を行うことができ、互いに接触することなく、電力の供給および信号の転送を行うことができるようになっている。
【００５１】
一般に、非接触でデータの読み書きを行う場合、端末との距離、この場合は上記カートリッジラベル２のアンテナ配線３と後述するアンテナ基板７との距離によってデータおよび電源の伝達方式が決定される。電磁波を用いた伝送（電磁界伝送）の場合、一般的には、例えば、密接型（通信距離２ｍｍ以内、通信周波数４．９１ＭＨｚ、データ通信速度９．６キロバイト／秒以上）、近接型（通信距離１０ｃｍ以内、通信周波数１３．５６ＭＨｚ、データ通信速度１０６キロバイト／秒以上）、近傍型（通信距離７０ｃｍ以内、通信周波数１３．５６ＭＨｚ、データ通信速度１０キロバイト／秒以内）、マイクロ波型（通信距離７０ｃｍ以上、通信周波数２．４５ＧＨｚ、データ通信速度１メガバイト／秒以内）等が挙げられるが、特に限定されるものではない。
【００５２】
また、上記ＩＣメモリ４は、データの記憶保持が可能なメモリ部と信号処理部とを有する集積回路であり、音声データを、音声データの記憶に適すると共に該ＩＣメモリ４の記憶形態（記憶方式）に適合したフォーマット（記憶フォーマット）で記憶することができるようになっている。
【００５３】
上記ＩＣメモリ４を用いた非接触方式による音声の記録再生を行うに際しては、ＩＣメモリ４の記憶容量と、アンテナ配線３による通信速度とが適用の条件となるが、一般的な非接触型ＩＣメモリの記憶容量（数百〜数十キロバイト）と、通信速度（数キロ〜数百キロバイト／秒）があれば、音声の記録再生は充分可能である。
【００５４】
また、記憶手段への記憶形態、本実施の形態においては上記ＩＣメモリ４への記憶形態には特に制約はなく、現在、ＭＰ３(MPEG-1 Audio Layer III)による圧縮音声データを記録再生できるポータブルプレーヤー等も一般的であり、それと同様の記憶フォーマットを適用することも可能である。さらに、光ディスク５がＭＤやＤＶＤ(digital video disk)の場合、ＡＴＲＡＣ（Adaptive Transform Acoustic Coding）やＭＰＥＧ(Moving Picture Experts Group)オーディオといった公知の音声圧縮アルゴリズムによる圧縮音声データを記録する記憶フォーマットを適用することも可能である。
【００５５】
このように、本実施の形態によれば、上記ＩＣメモリ４が、音声データの記憶に適すると共に該ＩＣメモリ４の記憶形態（記憶方式）に適合したフォーマット（記憶フォーマット）で音声データを記憶することで、上記カートリッジラベル２は、上記ＩＣメモリ４に、該カートリッジラベル２が装着された、あるいは装着される記録媒体、この場合は光ディスク５の記録内容に関する情報の記憶を行うことができ、該光ディスク５を再生することなく、該光ディスク５の記録内容に関する情報を読み出すことができる。
【００５６】
本実施の形態において、上記カートリッジラベル２は、図１および図２に示すように、アンテナ配線３が、基板２２の中央部付近、つまり、該カートリッジラベル２の中央付近に設けられ、ＩＣメモリ４が、該アンテナ配線３から該カートリッジラベル２の長手方向端部に向かって延設された位置に配置されている。
【００５７】
上記ＩＣメモリ４の厚みは特に限定されないが、該ＩＣメモリ４を搭載したカートリッジラベル２を、記録媒体もしくはそのカートリッジ（この場合は光ディスクカートリッジ１）に装着される、記録媒体用のラベルとして用いるために、該ＩＣメモリ４は、できるだけ薄く形成されていることが、得られるカートリッジラベル２に柔軟性を付与する上で望ましい。なお、上記上部シート２１と、上記アンテナ配線３およびＩＣメモリ４を搭載した基板２２との間には、これら上部シート２１と基板２２との隙間を埋める緩衝材や、上記アンテナ配線３およびＩＣメモリ４を保護する保護部材等が設けられていても構わない。
【００５８】
一方、本実施の形態において用いられる上記記録装置６は、図１に示すように、その内部に、アンテナ基板７、メモリデータエンコード回路８、音声データ圧縮回路９、ディスクデータエンコード回路１０、光ピックアップ１１、メモリデータデコード回路１２、圧縮データ伸長回路１３、およびＤ／Ａ(digital to analog) 変換器１４を備えると共に、外部に、スピーカ１５と、音声データ入力端子１６とを備えている。
【００５９】
上記アンテナ基板７は、カートリッジラベル２と非接触、つまり、記録媒体用のラベル側の通信手段であるアンテナ配線３と非接触でデータの送受信を行う、装置側、この場合は、記録装置６側の通信手段（第２の通信手段）であり、巻線状のアンテナ配線を備え、メモリデータエンコード回路８（エンコード手段；記憶手段用のエンコード手段（第１のエンコード手段））によりエンコードされた音声データを、上記カートリッジラベル２と接触することなく、上記アンテナ配線３に送信することができるようになっている。
【００６０】
上記アンテナ基板７は、上記記録装置６の前面、例えば、上記記録装置６のコントロールパネル（フロントパネル）の内側に配され、該記録装置６に装着（挿入）後の光ディスクカートリッジ１に貼り付けられたカートリッジラベル２のアンテナ配線３と近接する位置、つまり、上記光ディスク５の記録位置において、上記アンテナ配線３と対向する位置に形成されている。
【００６１】
上記メモリデータエンコード回路８および音声データ圧縮回路９（圧縮手段）は、外部から入力された音声データに対し、該音声データを前記ＩＣメモリ４に記憶させるための処理を行う入力信号処理部としての機能を有し、上記メモリデータエンコード回路８は、外部から入力された音声データを、ＩＣメモリ４の記憶フォーマットに変換（エンコード）するようになっている。また、音声データ圧縮回路９は、外部から入力された音声データの音声圧縮を行うようになっている。
【００６２】
上記カートリッジラベル２は、光ディスク５の記録内容を確認するためのものであり、ＩＣメモリ４に記憶する音声データの音質は、光ディスク５に記録されている音声データほど高音質である必要はない。
【００６３】
このため、ＩＣメモリ４があまり大きな容量を持つことができないことを考えれば、上記ＩＣメモリ４により多くのデータを記憶させるためには、記憶すべきデータ量を小さくすることが望ましい。
【００６４】
従って、音声データ圧縮回路９で用いる音声圧縮アルゴリズムの圧縮率は、記録媒体用のエンコード手段（第２のエンコード手段）であるディスクデータエンコード回路１０で用いる音声圧縮アルゴリズムの圧縮率よりも大きくすることが望ましい。これにより、ＩＣメモリ４に記憶すべきデータ量を小さくすることができるので、あまり大きな容量を持つことができないＩＣメモリ４に、より多くのデータを記憶させることが可能となる。
【００６５】
上記ディスクデータエンコード回路１０および光ピックアップ１１は、光ディスク５にデータを記録する記録手段であり、ディスクデータエンコード回路１０は、外部から入力された音声データ、つまり、上記光ディスク５に記録すべき音声データを、上記光ディスク５の記録フォーマットに変換する。また、光ピックアップ１１は、音声データを、対応する電気信号に変換することにより、音声データの記録・再生（この場合は記録）を行う。
【００６６】
上記メモリデータデコード回路１２（デコード手段）、圧縮データ伸長回路１３、およびＤ／Ａ変換器１４は、前記ＩＣメモリ４に記憶させた音声データを音声として出力するための処理を行う出力信号処理部として機能し、メモリデータデコード回路１２は、使用者が、上記光ディスク５に記録された記録内容を確認すべく、ＩＣメモリ４に記憶された音声データを再生するに際し、ＩＣメモリ４に記憶された所定のフォーマット（記憶フォーマット）のデータを、元のデータに変換（デコード）する。また、圧縮データ伸長回路１３は、圧縮された音声データを伸長するために用いられ、Ｄ／Ａ変換器１４は、上記音声データをＤ／Ａ変換することにより、前記ＩＣメモリ４に記憶させた音声データを、前記スピーカ１５（音声出力手段）から音声として出力する。
【００６７】
また、上記音声データ入力端子１６は、外部から音声データを入力する音声データ入力手段として機能し、本実施の形態では、上記光ディスク５に記録すべき音声データ、つまり、上記光ディスク５に記録する音声データが該音声データ入力端子１６を介して上記記録装置６に入力される。
【００６８】
本実施の形態において、前記ディスクデータエンコード回路１０並びに音声データ圧縮回路９は、それぞれ、図示しない音声データ入力端子を有し、上記音声データ入力端子１６と電気的に接続されている。これにより、上記音声データ入力端子１６から記録装置６に入力された音声データは、ディスクデータエンコード回路１０に入力されると同時に、音声データ圧縮回路９に入力されるようになっている。
【００６９】
次に、上記記録装置６の動作、特に、上記記録装置６と、上記光ディスクカートリッジ１に装着（貼着）されたカートリッジラベル２との通信形態、すなわち、上記カートリッジラベル２のＩＣメモリ４への音声データの記録並びに上記ＩＣメモリ４からの音声データの再生について説明する。
【００７０】
図１に示すように、上記カートリッジラベル２を装着した光ディスクカートリッジ１が、上記記録装置６正面（前面）に設けられた、図示しない光ディスクカートリッジ挿入口に挿入されると、該光ディスクカートリッジ１は、図示しない光ディスクカートリッジ搬送機構により、その記録位置まで搬送される。
【００７１】
次いで、図示しない外部装置から、音声データ入力端子１６を介して光ディスクカートリッジ１に記録すべき音声データが入力される。ここで外部装置とは、ＣＤ(compact disk)再生装置、ビデオテープ再生装置、ＤＶＤ再生装置、ＴＶ（television）、ラジオ等、上記光ディスクカートリッジ１に記録すべき音声データの出力源を示している。
【００７２】
上記音声データ入力端子１６から上記記録装置６に入力された音声データは、ディスクデータエンコード回路１０によって光ディスク５の記録フォーマットに適合した形式に変換されて光ピックアップ１１によって光ディスク５に記録される。
【００７３】
但し、光ディスク５がＭＤやＤＶＤの場合、前記したように、音声データは、ＡＴＲＡＣやＭＰＥＧオーディオといった公知の音声圧縮アルゴリズムによって圧縮された上で、光ディスク５の変換フォーマット、すなわち、光ディスク５の記録形態に応じた各ディスク記録フォーマットに変換され、こうして変換されたデータが、光ピックアップ１１によって光ディスク５に記録される。なお、上記光ディスク５への音声データの記録動作については、従来と同様であり、本発明の特徴部分とは直接関連しないため、詳細な説明は省略する。
【００７４】
同時に、入力された音声データのイントロ部分等、入力された音声データの一部、つまり、光ディスク５に記録される音声データの一部は、音声データ圧縮回路９にも入力される。音声データ圧縮回路９は音声データを公知の音声圧縮アルゴリズムを用いてデータ量の小さな圧縮音声データに変換する。
【００７５】
次いで、この音声データを、メモリデータエンコード回路８が、ＩＣメモリ４に適合した所定のフォーマット、つまり、音声データの記憶に適すると共に該ＩＣメモリ４の記憶形態に適合したフォーマット（記憶フォーマット）に変換してアンテナ基板７に出力する。
【００７６】
アンテナ基板７は、この音声データを、光ディスクカートリッジ１のアンテナ配線３に非接触で送信し、ＩＣメモリ４は、このアンテナ配線３で受信した音声データを、ＩＣメモリ４に適合した所定のフォーマットで記憶する。
【００７７】
以上の動作により、光ディスクカートリッジ１のＩＣメモリ４には、光ディスク５に記録された音声データの一部が圧縮されて記憶された状態となっている。
【００７８】
本実施の形態では、上記光ディスク５に音声データを記録するときに、上記光ディスク５に記録する音声データの一部を上記ＩＣメモリ４にも同時に記憶させるため、記録した光ディスク５の内容を自動的にＩＣメモリ４に記憶させることが可能である。つまり、上記記録装置６は、上記光ディスク５に記録される音声データを、上記光ディスク５の記録内容として上記カートリッジラベル２におけるアンテナ配線３に音声データの形で送信することができる。
【００７９】
このため、上記記カートリッジラベル２のＩＣメモリ４に上記光ディスク５の記録内容を記録する手間を省くことができると共に、上記光ディスク５に記憶される音声データの一部を記憶させることができることから、その記録内容を正確に記憶させることができる。また、上記記録装置６を用いて記録された光ディスク５の記録内容を確認することにより、記録日時やタイトル等では内容の特定が困難な記録内容を容易に確認、特定することができる。
【００８０】
次に、上記ＩＣメモリ４に記憶された、光ディスク５の記録内容に関する情報、この場合は、光ディスク５に記録された情報の一部を確認する動作について以下に説明する。
【００８１】
ＩＣメモリ４に記憶されたデータは、アンテナ配線３を介して非接触でアンテナ基板７に送信される。アンテナ基板７にて受信されたデータは、ＩＣメモリ４に適合したフォーマットであるため、メモリデータデコード回路１２にてデコードされて元の圧縮音声データに戻る。そして、圧縮データ伸長回路１３にて音声デジタルデータに伸長された後、Ｄ／Ａ変換器１４によってアナログ音声信号となり、スピーカ１５から音声として出力される。
【００８２】
なお、上記カートリッジラベル２のＩＣメモリ４に記憶された音声データの再生、つまり、上記光ディスク５の記録内容の確認時における上記光ディスクカートリッジ１の配置としては、図１に示すように上記記録装置６に装着された状態であってもよいが、図３に示すように、記録装置６の外装面、例えば、記録装置６の前面（コントロールパネル等のフロントパネル）にも上記したアンテナ基板７と同様のアンテナ基板１７を配し、該アンテナ基板１７に、前記アンテナ配線３を近づけただけの位置関係であってもよい。
【００８３】
図３は、本実施の形態にかかる記録装置６の他の構成を示す概略構成図であり、上記光ディスクカートリッジ１に収容された前記光ディスク５の記録内容の確認時における上記光ディスクカートリッジ１と上記記録装置６との位置関係を示す図である。
【００８４】
以上のように、上記記録装置６においては、光ディスクカートリッジ１に記録された音声の一部が、アンテナ配線３を介してＩＣメモリ４から非接触で読み出されて音声として再生されるため、図３に示すように上記光ディスクカートリッジ１を記録装置６に挿入することなく近づけるだけで、音声によって容易かつ確実かつ短時間に、光ディスク５の記録内容を確認することが可能となる。
【００８５】
また、上記記録装置６は、光ディスクカートリッジ１に音声データを記録するときに、その音声データの一部をＩＣメモリ４にも同時に記憶させるため、記録を行った光ディスクカートリッジ１の内容を自動的にＩＣメモリ４にも記憶させることが可能となる。
【００８６】
〔実施の形態２〕
本発明の他の実施の形態について、図４に基づいて説明すれば、以下の通りである。なお、本実施の形態において、実施の形態１における構成要素と同一の機能を有する構成要素については、同一の符号を付記し、その説明を省略する。本実施の形態では、主に、前記実施の形態１との相違点について説明するものとする。
【００８７】
本実施の形態では、記録媒体用のラベルとしてのカートリッジラベル２への音声データの書き込み並びに該カートリッジラベル２からの音声データの読み出しに、光ディスク５の再生、すなわち、光ディスク５に記録された音声データを再生する再生装置を用いる場合を例に挙げて説明する。
【００８８】
図４は、上記カートリッジラベル２を装着した光ディスクカートリッジ１装着後の再生装置３１（光ディスク再生装置）の構成を示すブロック図である。
【００８９】
本実施の形態において用いられる上記再生装置３１は、図４に示すように、その内部に、アンテナ基板７、メモリデータエンコード回路８、音声データ圧縮回路９、ディスクデータデコード回路３２、光ピックアップ１１、メモリデータデコード回路１２、圧縮データ伸長回路１３、およびＤ／Ａ変換器１４を備えると共に、外部に、スピーカ１５と、音声データ出力端子３３とを備えている。
【００９０】
本実施の形態において、上記ディスクデータデコード回路３２および光ピックアップ１１は、光ディスク５に記録された音声データを再生する再生手段であり、本実施の形態にかかる再生装置３１は、上記アンテナ基板７が受信した、ＩＣメモリ４に適合した所定のフォーマット（記録フォーマット）の音声データをデコードする第１のデコード手段としての上記メモリデータデコード回路１２とは別に、上記光ディスク５に記録された音声データ、つまり、光ディスク５の記録フォーマットのデータを、元のデータに変換（デコード）する第２のデコード手段としてのディスクデータデコード回路３２を備えている。また、本実施の形態において、上記光ピックアップ１１は、音声データを、対応する電気信号に変換することにより、音声データの記録・再生（この場合は再生）を行うようになっている。
【００９１】
また、上記音声データ出力端子３３は、上記再生手段により再生された音声データを、音声出力機能を有する図示しない外部装置に出力する音声データ出力手段として機能し、本実施の形態では、上記再生手段により再生された音声データが上記音声データ出力端子３３を介して音声出力機能を有する図示しない外部装置から音声として出力されるのに対し、カートリッジラベル２におけるＩＣメモリ４から読み出された音声データは、上記再生装置３１の前面（コントロールパネル等のフロントパネル）に設けられたスピーカ１５から音声として出力されるようになっている。
【００９２】
本実施の形態において、上記音声データ出力端子３３、並びに、音声データ圧縮回路９における音声データ入力端子（図示せず）は、それぞれ、ディスクデータデコード回路３２における音声データ出力端子（図示せず）と電気的に接続されている。これにより、上記ディスクデータデコード回路３２によりデコードされた音声データは、音声データ出力端子３３を介して音声出力機能を有する図示しない外部装置に入力されると同時に、音声データ圧縮回路９に入力されるようになっている。
【００９３】
次に、上記再生装置３１の動作、特に、上記再生装置３１と、上記光ディスクカートリッジ１に装着（貼着）されたカートリッジラベル２との通信形態、すなわち、上記カートリッジラベル２のＩＣメモリ４への音声データの記録並びに上記ＩＣメモリ４からの音声データの再生について説明する。
【００９４】
図４に示すように、上記カートリッジラベル２を装着した光ディスクカートリッジ１が、上記再生装置３１正面（前面）に設けられた、図示しない光ディスクカートリッジ挿入口に挿入されると、該光ディスクカートリッジ１は、図示しない光ディスクカートリッジ搬送機構により、その再生位置まで搬送される。
【００９５】
光ディスク５に記録されたデータは、光ピックアップ１１によって再生された後、ディスクデータデコード回路３２に入力される。ディスクデータデコード回路３２は、光ディスク５の記録フォーマットのデータを復号して元の音声データに変換する。
【００９６】
このとき、光ディスク５がＭＤやＤＶＤ等であって音声データが圧縮されている場合には、さらに、その伸長処理も行う。なお、上記光ディスク５に記録された音声データの再生動作については、従来と同様であり、本発明の特徴部分とは直接関連しないため、詳細な説明は省略する。
【００９７】
このようにして再生、つまり、上記ディスクデータデコード回路３２によりデコードされた音声データは、音声データ出力端子３３を介して、音声出力機能を有する図示しない外部装置に出力される。それと同時に、上記音声データのイントロ部分等、再生（デコード）された音声データの一部は、音声データ圧縮回路９にも入力される。音声データ圧縮回路９は音声データを公知の音声圧縮アルゴリズムを用いてデータ量の小さな圧縮音声データに変換する。
【００９８】
次いで、この音声データを、メモリデータエンコード回路８が、ＩＣメモリ４に適合した所定のフォーマット、つまり、音声データの記憶に適すると共に該ＩＣメモリ４の記憶形態に適合したフォーマット（記憶フォーマット）に変換してアンテナ基板７に出力する。
【００９９】
アンテナ基板７は、この音声データを、光ディスクカートリッジ１のアンテナ配線３に非接触で送信し、ＩＣメモリ４は、このアンテナ配線３で受信した音声データを、実施の形態１同様、データ量の小さな高圧縮音声データとして記憶する。
【０１００】
以上の動作により、光ディスクカートリッジ１のＩＣメモリ４には、光ディスク５に記録された音声データの一部が圧縮されて記憶された状態となっている。
【０１０１】
本実施の形態では、光ディスク５を再生するときに、その音声の一部をＩＣメモリ４にも同時に記憶させるため、再生を行った光ディスクカートリッジ１の内容を自動的にＩＣメモリ４に記憶させることが可能である。つまり、上記再生装置３１は、上記光ディスク５に記録された音声データを、上記光ディスク５の記録内容として上記カートリッジラベル２におけるアンテナ配線３に音声データの形で送信することができる。
【０１０２】
このため、上記記カートリッジラベル２のＩＣメモリ４に上記光ディスク５の記録内容を記録する手間を省くことができると共に、上記光ディスク５に記憶された音声データの一部を記憶させることができることから、その記録内容を正確に記憶させることができる。また、上記再生装置３１を用いて再生された光ディスク５の記録内容を確認することにより、記録日時やタイトル等では内容の特定が困難な記録内容を容易に確認、特定することができる。
【０１０３】
なお、光ディスクカートリッジ１のＩＣメモリ４に記憶された内容を再生する動作、つまり、上記ＩＣメモリ４に記憶された、光ディスク５の記録内容に関する情報（この場合は、光ディスク５に記録された情報の一部を確認する動作）については、実施の形態１で既に説明した通りであるので、本実施の形態では、その説明は省略する。
【０１０４】
なお、上記再生装置３１においても、前記実施の形態１にて図３で示したように、再生装置３１の外装面、例えば、再生装置３１の前面（コントロールパネル等のフロントパネル）にも上記したアンテナ基板７と同様のアンテナ基板１７を配し、該アンテナ基板１７に、前記アンテナ配線３を近づけることにより、上記カートリッジラベル２のＩＣメモリ４に記憶された音声データの再生を行ってもよい。
【０１０５】
〔実施の形態３〕
本発明の他の実施の形態について、図５に基づいて説明すれば、以下の通りである。なお、実施の形態１および２における構成要素と同一の機能を有する構成要素については、同一の符号を付記し、その説明を省略する。本実施の形態では、主に、前記実施の形態１および２との相違点について説明するものとする。
【０１０６】
以下、本実施の形態においても、前記実施の形態１・２で示したように、記録媒体用のラベルとしてのカートリッジラベル２の記録並びに再生、つまり、上記カートリッジラベル２への音声データの書き込み並びに該カートリッジラベル２からの音声データの読み出しに用いられる装置について説明するが、本実施の形態において上記カートリッジラベル２におけるＩＣメモリ４の記録および／または再生に用いられる装置としては、上記ＩＣメモリ４の記録／再生に必要な構成要素を有してさえいればよく、上記光ディスク５の記録装置もしくは再生装置の何れを用いてもよい。つまり、本実施の形態において上記カートリッジラベル２におけるＩＣメモリ４の記録／再生に用いられる装置としては、前記実施の形態１に示した記録手段および／または前記実施の形態２で示した再生手段を、以下に示す構成以外の構成として備えていてもよい。
【０１０７】
本実施の形態では、特に、カートリッジラベル２への音声データの書き込みを、光ディスク５の記録・再生にかかる動作とは別に行なう場合について説明する。
【０１０８】
図５は、上記カートリッジラベル２を装着した光ディスクカートリッジ１装着後の、光ディスク５の記録および／または再生にかかる装置（以下、説明の便宜上、記録／再生装置と記す）４１（光ディスク記録／再生装置）の構成を示すブロック図である。
【０１０９】
本実施の形態において用いられる上記記録／再生装置４１は、図５に示すように、その内部に、メモリデータエンコード回路８、音声データ圧縮回路９、Ａ／Ｄ(analog to digital) 変換器４２、メモリデータデコード回路１２、圧縮データ伸長回路１３、およびＤ／Ａ変換器１４を備えると共に、外部に、アンテナ基板７と、スピーカ１５と、マイク４３とを備えている。
【０１１０】
上記マイク４３（音声データ入力手段）は、上記光ディスク５の記録内容に関する情報、例えば記録日時やタイトル等のインデックス情報を、外部から音声で、具体的には、例えば口頭で入力するためのものであり、上記記録／再生装置４１においては、上記マイク４３から入力された音声は、Ａ／Ｄ変換器４２、音声データ圧縮回路９を介して上記メモリデータエンコード回路８に入力される。これにより、本実施の形態では、上記メモリデータエンコード回路８は、上記マイク４３により外部から入力された、上記光ディスク５の記録内容に関する情報を、上記カートリッジラベル２のＩＣメモリ４に適合した所定のフォーマット（記録フォーマット）にエンコードするようになっている。
【０１１１】
また、上記Ａ／Ｄ変換器４２は、上記マイク４３から入力されたアナログ音声信号を、デジタルの音声データとして出力するものである。
【０１１２】
次に、上記記録／再生装置４１の動作、特に、上記記録／再生装置４１と、上記光ディスクカートリッジ１に装着（貼着）されたカートリッジラベル２との通信形態、すなわち、上記カートリッジラベル２のＩＣメモリ４への音声データの記録並びに上記ＩＣメモリ４からの音声データの再生について説明する。
【０１１３】
本実施の形態では、上記アンテナ基板７は、図５に示すように、上記記録／再生装置４１の外部、つまり、記録／再生装置４１の外装面、例えば、記録／再生装置４１の前面（コントロールパネル等のフロントパネル）に配されている。
【０１１４】
このため、上記ＩＣメモリ４への音声データの記録は、光ディスクカートリッジ１に装着（貼着）されたカートリッジラベル２におけるアンテナ配線３を、上記記録／再生装置４１のアンテナ基板７に近づけるように配した状態で、上記マイク４３から例えば口頭で音声を入力することにより行われる。
【０１１５】
つまり、上記ＩＣメモリ４に音声データを記録する場合、まず、上記カートリッジラベル２を装着した光ディスクカートリッジ１を、該カートリッジラベル２のアンテナ配線３と上記記録／再生装置４１のアンテナ基板７とが対向（近接）するように、カートリッジラベル２装着（貼着）面、この場合は背面を記録／再生装置４１側、つまり、アンテナ基板７側に向けて近づけ、この状態で、上記光ディスクカートリッジ１のタイトルや記録目時等、上記光ディスクカートリッジ１に収容された光ディスク５の記録内容に関する情報（インデックス情報）を、マイク４３に対して口頭で音声入力する。
【０１１６】
マイク４３から入力された音声は、アナログ音声信号としてＡ／Ｄ変換器４２に入力され、デジタルの音声データとして音声データ圧縮回路９に入力される。以降、この音声データを、音声データ圧縮回路９、メモリデータエンコード回路８、アンテナ基板７を介して非接触で光ディスクカートリッジ１のアンテナ配線３に送信し、ＩＣメモリ４に、データ量の小さな高圧縮音声データとして記憶するまでの動作については、前記実施の形態１・２と同様であるので、本実施の形態では、その詳細な説明は省略する。
【０１１７】
以上の動作により、光ディスクカートリッジ１のＩＣメモリ４には、光ディスク５の記録内容を表す音声情報が、圧縮されて記憶された状態となっている。
【０１１８】
本実施の形態では、上記光ディスク５に音声データを記録する動作、あるいは、上記光ディスク５に記録された音声データを再生する動作とは別に上記光ディスク５の記憶内容を上記カートリッジラベル２のＩＣメモリ４に記憶させることができるので、上記光ディスク５に記録された音声データ以外の、上記光ディスク５の記憶内容に関する情報を、例えば口頭で、外部から入力することができる。
【０１１９】
なお、この場合、上記光ディスク５に記録された音声データを、外部装置により音声出力し、この音声を、上記マイク４３から音声入力しても構わない。なお、このような場合は、例えば前記実施の形態２に示す再生装置３１を用いることで、このような手間を省くことができる。
【０１２０】
本実施の形態によれば、上記カートリッジラベル２のＩＣメモリ４への音声データの書き込みを、上記光ディスク５に音声データを記録する動作、あるいは、上記光ディスク５に記録された音声データを再生する動作とは別に行うことで、上記光ディスクカートリッジ１を、前記実施の形態１・２に示すように、その再生位置あるいは記録位置に配置させる必要がない。つまり、上記光ディスクカートリッジ１を、光ディスクカートリッジ挿入口に挿入する必要がない。このため、上記アンテナ基板７を、上記光ディスク５の記録位置あるいは再生位置に対向するように設ける必要がなく、上記記録／再生装置４１の外装面に設けることができる。
【０１２１】
このため、上記ＩＣメモリ４への音声データの書き込みを、上記光ディスクカートリッジ１をわざわざ記録／再生装置４１に挿入することなく近づけるだけで、容易かつ短時間に、上記光ディスク５の記録内容に関する情報、例えばインデックス情報を、上記アンテナ基板７に送信、つまり、上記ＩＣメモリ４に記憶させることが可能となる。
【０１２２】
また、本実施の形態によれば、上記アンテナ基板７を、上記記録／再生装置４１の外装面に設けることで、上記記録／再生装置４１を製造するに際し、上記アンテナ基板７とカートリッジラベル２との位置関係を考慮する必要がなく、容易かつ安価に製造することができる。
【０１２３】
なお、光ディスクカートリッジ１のＩＣメモリ４に記憶された内容を再生する動作、つまり、上記ＩＣメモリ４に記憶された、光ディスク５の記録内容に関する情報（この場合は、光ディスク５に記録された情報の一部を確認する動作）については、前記実施の形態２同様、実施の形態１で既に説明した通りであるので、本実施の形態でも、その説明は省略する。
【０１２４】
以上のように、本実施の形態によれば、上記カートリッジラベル２のＩＣメモリ４への音声データの書き込みを、上記光ディスク５に音声データを記録する動作とも上記光ディスク５に記録された音声データを再生する動作とも別に行うことで、上記光ディスクカートリッジ１を、その再生位置にも記録位置にも配置させる必要がないことから、上記アンテナ基板７を、上記記録／再生装置４１の外装面にのみ設けることができる。
【０１２５】
つまり、本実施の形態によれば、上記ＩＣメモリ４への音声データの書き込み並びに上記ＩＣメモリ４に記憶された音声データの読み出しを、上記光ディスクカートリッジ１をわざわざ記録／再生装置４１に挿入することなく近づけるだけで、容易かつ短時間に行うことができる。
【０１２６】
なお、本実施の形態では、上記カートリッジラベル２が装着（貼着）された光ディスク５として、書き換え可能な光ディスク５を用いたが、本実施の形態３並びに前記実施の形態２においては、上記光ディスク５は、書き換え可能である必要はなく、ＲＯＭ（read only memory）タイプの光ディスクであってもよい。
【０１２７】
さらに、上記実施の形態１ないし３においては、記録媒体のカートリッジとして光ディスクカートリッジ１を用いて説明したが、上記カートリッジとしては、これに限定されるものではなく、磁気ディスク媒体、テープ媒体、光カード等、カートリッジに収めるタイプの記録媒体であれぱ、本発明の効果が得られることは言うまでもない。
【０１２８】
また、上記実施の形態１ないし３では、上記カートリッジラベル２が光ディスクカートリッジ１背面に設けられたラベル装着部に装着（貼着）される構成としたが、上記カートリッジラベル２の装着（貼着）位置としては、これに限定されるものではなく、上記ＩＣメモリ４への音声データの記録に際し、上記アンテナ基板７およびカートリッジラベル２が、上記光ディスク５の記録を妨げない位置に設けられてさえいれば、何れの位置、例えば上記カートリッジラベル２の上面あるいは下面の何れにラベル装着部が設けられていても構わない。上記アンテナ基板７は、上記カートリッジラベル２におけるアンテナ配線３との通信が可能な位置、好適には、上記アンテナ配線３と近接する位置に配されさえすればよく、上記カートリッジラベル２は、予め設定された上記カートリッジラベル２の装着（貼着）位置、より具体的には、ラベル装着（貼着）部の形状に応じた形状に形成される。
【０１２９】
また、上記実施の形態１ないし３においては、上記カートリッジラベル２が記録媒体のカートリッジ（光ディスクカートリッジ１）に装着（貼着）される場合を例に挙げて説明したが、本発明にかかるラベルは、例えば、ＣＤ等、光ディスクのラベル面（非記録面）に直接装着（貼着）される構成としてもよい。
【０１３０】
また、上記実施の形態１ないし３においては、上記カートリッジラベル２は、ＩＣメモリ４が１つだけ設けられた構成としたが、上記カートリッジラベル２に配されるＩＣメモリ４等の記憶手段の数や種類は、これに限定されるものではなく、例えば、複数のＩＣメモリ４が設けられていてもよい。上記カートリッジラベル２の記憶手段としては、できるだけ薄く、また、柔軟性を有するラベルを作成する上で、ＩＣメモリが好適に用いられるが、これに限定されるものではない。
【０１３１】
また、上記実施の形態１においては、ＩＣメモリ４への音声データの書き込み並びにＩＣメモリ４に記憶された音声データの読み出しに上記光ディスク５への音声データの記録を行う記録装置６を使用し、上記実施の形態２では、ＩＣメモリ４への音声データの書き込み並びにＩＣメモリ４に記憶された音声データの読み出しに上記光ディスク５に記録された音声データの再生を行う再生装置３１を使用したが、上記ＩＣメモリ４への音声データの書き込み並びにＩＣメモリ４からの音声データの読み出しは、これに限定されるものではなく、例えば、上記ＩＣメモリ４への音声データの書き込みと上記ＩＣメモリ４からの音声データの読み出しとは、それぞれ別々の装置で行ってもよい。
【０１３２】
例えば、上記光ディスク５を、予め音声データが記録（録音）された状態で市販する場合、上記光ディスク５に音声データを記憶するに際し、カートリッジラベル２を、前記実施の形態１に示すように、例えば、該光ディスクカートリッジ１の保管に際し、保管ケースの形状によっては該保管ケースから露出する構成とすることが可能な、光ディスクカートリッジ１の背面に装着（貼着）し、前記した記録装置６により、上記光ディスク５の記録と同時に上記カートリッジラベル２のＩＣメモリ４への音声データの書き込みを行い、店頭販売されるに際し、例えば、図３に示した記録装置６や、アンテナ基板１７をさらに備えた再生装置３１、前記記録／再生装置４１、あるいは、実施の形態３で示したような、アンテナ基板７、メモリデータデコード回路１２、圧縮データ伸長回路１３、Ｄ／Ａ変換器１４等を備えたＩＣメモリ４再生装置（カートリッジラベル再生装置）等により、上記ＩＣメモリ４を再生することで、光ディスク５に記録された音声データの一部、つまり、光ディスク５の記録内容を、短時間で簡単に確認することができるようにしてもよい。この場合、例えば店頭販売に際し、上記光ディスクカートリッジ１の包装を開封することなく、簡単な試聴や内容確認を可能にすることができる。
【０１３３】
また、上記実施の形態１において、上記記録装置６は、前記実施の形態１の構成に加えて、上記した再生手段、この場合、光ピックアップ１１は、記録再生に共通して用いることができるため、例えば、ディスクデータデコード回路３２、並びに、上記音声データ出力端子３３が、さらに設けられた構成を有し、光ディスク５の再生機能を備えていてもよい。
【０１３４】
同様に、上記実施の形態２において、上記再生装置３１は、上記実施の形態２の構成に加えて、上記した記録手段、この場合、光ピックアップ１１は、記録再生に共通して用いることができるため、例えば、ディスクデータエンコード回路１０、並びに、音声データ入力端子１６が、さらに設けられた構成を有し、光ディスク５に音声データを記録する機能を備えていてもよい。
【０１３５】
つまり、上記ＩＣメモリ４への音声データの書き込みおよび上記ＩＣメモリ４からの音声データの読み出しを行うに際し、上記記録装置６あるいは再生装置３１としては、上記光ディスク５の記録並びに再生を行う記録再生装置を用いてもよい。
【０１３６】
また、上記実施の形態１ないし３においては、上記ＩＣメモリ４の再生装置、すなわち、前記光ディスク５の記録／再生装置、具体的には、記録装置６、再生装置３１、記録／再生装置４１にスピーカ１５が内蔵された構成を用いて説明したが、ＩＣメモリ４から読み出された音声データは、Ｄ／Ａ変換せずに、スピーカ機能を備えた外部装置に出力する構成としてもよい。
【０１３７】
さらに、上記実施の形態１ないし３においては、上記ＩＣメモリ４への音声データの書き込みを、上記カートリッジラベル２が光ディスクカートリッジ１に装着（貼着）された状態において行う場合について説明したが、実施の形態３に示すように、上記ＩＣメモリ４への音声データの書き込みを、光ディスク５の記録・再生動作とは別に行う場合、上記カートリッジラベル２を剥離紙から剥がす前、つまり、上記カートリッジラベル２を上記光ディスクカートリッジ１に装着（貼着）する前に、上記ＩＣメモリ４への音声データの書き込みを行い、該書き込み後に上記カートリッジラベル２を上記光ディスクカートリッジ１に装着（貼着）してもよい。
【０１３８】
つまり、本実施の形態にかかる記録媒体は、記録媒体用のラベルが予め装着されていてもよいし、該ラベルが付属され、記録後に装着（貼着）可能に設けられていてもよい。
【０１３９】
また、上記各実施の形態では、非接触による通信（無線通信）として電磁界電送を例に挙げて説明したが、上記非接触方式を用いた通信（無線通信）としては、例えば、光通信、赤外線通信等、従来公知の種々の通信方式を採用することができる。
【０１４０】
以上のように、本発明は、非接触でデータの書き込みや読み出しが可能な通信並びにメモリ機能を備え、記録媒体の記録内容に関する情報を音声データにて記憶する、記録媒体用のラベル、および該ラベルに、該ラベルが装着される記録媒体の記録内容に関する情報を音声データとして非接触方式にて送信し、記録する機能を備えた、記録媒体の記録装置および再生装置、並びに、上記ラベルが記録媒体若しくはそのカートリッジに装着された記録媒体の記録内容に関する情報を非接触方式にて受信し、音声にて出力する機能を備えた、記録媒体の記録装置および再生装置に関するものである。本発明は、例えばＦＤ(floppy disk) 等、ディスクカートリッジの利便性を向上する上で非常に有用である。
【０１４１】
【発明の効果】
本発明にかかるラベルは、以上のように、データの送信または受信を非接触で行う通信手段と、上記通信手段が送受信するデータの書き込みおよび読み出しを行う記憶手段とを有し、記録媒体若しくはそのカートリッジに装着される記録媒体用のラベルであって、上記記憶手段は、音声データを記憶手段に応じた所定のフォーマットで記憶する構成である。
【０１４２】
それゆえ、上記ラベルは、その記憶手段に、音声データを該記憶手段に応じた所定のフォーマットで記憶することにより、記録媒体に記憶される、あるいは記憶された、音声データの一部や、外部から例えば口頭で入力した、上記記録媒体の記録内容に関する情報を、音声データの形態で上記ラベルの記憶手段に記憶させておき、この音声データを非接触で読み出して音声で出力することによって、上記記録媒体に記録された記録内容を、容易かつ確実に確認することができるという効果を奏する。
【０１４３】
また、上記の構成によれば、上記ラベルは、その記憶手段に、音声データを該記憶手段に応じた所定のフォーマットで記憶することにより、例えば記録媒体に記憶される、あるいは記憶された、音声データの一部を記憶することが可能であり、記録日時やタイトル等では内容の特定が困難な記録内容を容易に確認、特定することができるという効果を併せて奏する。
【０１４４】
本発明にかかる記録装置は、以上のように、データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体に音声データを記録する記録装置であって、外部から音声データを入力する音声データ入力手段と、上記音声データ入力手段により入力された音声データを上記記憶手段に応じた所定のフォーマットにエンコードするエンコード手段と、上記エンコード手段によりエンコードされた音声データを上記第１の通信手段に非接触で送信する第２の通信手段とを有する構成である。
【０１４５】
それゆえ、上記ラベルが装着された記録媒体の記録内容に関する情報を、音声データとして非接触方式にて上記ラベルの通信手段である第１の通信手段に送信する機能を備えた、上記記録媒体の記録装置を提供することができる。これにより、上記記録媒体の記録内容に関する情報を、音声データとして上記ラベルに書き込むことができる。また、この結果、この音声データを非接触で読み出して音声で出力することによって、上記記録媒体に記録された記録内容を、容易かつ確実に確認することができるという効果を奏する。
【０１４６】
本発明にかかる記録装置は、以上のように、上記音声データ入力手段が上記記録媒体に記録する音声データを入力する手段であり、上記エンコード手段は、上記音声データ入力手段により入力された、上記記録媒体に記録する音声データの一部を上記記憶手段に応じた所定のフォーマットにエンコードする構成である。
【０１４７】
それゆえ、上記記録媒体に音声データを記録する際に、上記記録媒体に記録する音声データの一部を、上記ラベルの記憶手段にも同時に記憶させることができ、また、記録を行った記録媒体の記録内容の一部を自動的に上記ラベルの記憶手段に記憶させることが可能となる。つまり、上記の構成によれば、上記記録媒体に記録される音声データを、上記記録媒体の記録内容として上記ラベルの通信手段である第１の通信手段に音声データの形で送信することができる。
【０１４８】
このため、上記ラベルの記憶手段に上記記録媒体の記録内容を記録する手間を省くことができると共に、上記記録媒体に記憶される音声データの一部を上記ラベルの記憶手段に記憶させることができることから、その記録内容を正確に記憶させることができる。また、上記記録装置を用いて記録された記録内容を確認することにより、記録日時やタイトル等では内容の特定が困難な記録内容を容易に確認、特定することができるという効果を奏する。
【０１４９】
本発明にかかる記録装置は、以上のように、上記音声データ入力手段が、上記記録媒体の記録内容に関する情報を外部から音声で入力する手段であり、上記エンコード手段は、上記音声データ入力手段により外部から入力された、上記記録媒体の記録内容に関する情報を、上記記憶手段に応じた所定のフォーマットにエンコードする構成である。
【０１５０】
それゆえ、上記記録媒体に音声データを記録する動作とは別に上記記録媒体の記憶内容を上記ラベルの記憶手段に記憶させることができるので、上記記録媒体に記録する音声データ以外の、上記記録媒体の記憶内容に関する情報を、例えば口頭で、外部から入力することができる。また、上記の構成によれば、上記ラベルの記憶手段への音声データの書き込みを、上記記録媒体に音声データを記録する動作とは別に行うことで、記録媒体を、その記録位置に位置させる必要がない。このため、上記第２の通信手段を、上記記録装置の外装面に設けることが可能であり、このように上記第２の通信手段を当該記録装置の外装面に設けることにより、記録媒体をわざわざ記録装置に挿入することなく近づけるだけで、容易かつ短時間に、記録媒体の記録内容に関する情報、例えばインデックス情報を、上記第２の通信手段に送信、つまり、上記ラベルの記憶手段に記憶させることができるという効果を奏する。
【０１５１】
本発明にかかる記録装置は、以上のように、上記音声データを圧縮する圧縮手段をさらに備え、上記圧縮手段は、上記第１の通信手段に送信する音声データを、上記記録媒体に記録する音声データの圧縮率よりも高い圧縮率で圧縮する構成である。
【０１５２】
それゆえ、上記第１の通信手段に送信する音声データ、つまり、上記ラベルの記憶手段に書き込む音声データの圧縮率を、上記記録媒体に記録する音声データの圧縮率よりも高くすることで、上記記憶手段に記憶すべきデータ量を小さくすることができる。このため、上記の構成によれば、記憶手段として、あまり大きな容量を持つことができない例えばＩＣメモリ等の記憶手段を用いた場合であっても、より多くのデータを記憶手段に記憶させることができるという効果を奏する。
【０１５３】
本発明にかかる再生装置は、以上のように、データの受信を非接触で行う第１の通信手段と、該第１の通信手段が受信したデータの書き込みを行う記憶手段とを有し、上記記憶手段が音声データを該記憶手段に応じた所定のフォーマットで記憶するラベルが記録媒体若しくはそのカートリッジに装着された記録媒体に記録された音声データを再生する再生装置であって、音声データを上記記憶手段に応じた所定のフォーマットにエンコードするエンコード手段と、上記エンコード手段によりエンコードされた音声データを上記第１の通信手段に非接触で送信する第２の通信手段とを有する構成である。
【０１５４】
それゆえ、上記ラベルが装着された記録媒体の記録内容に関する情報を、音声データとして非接触方式にて上記ラベルの通信手段である第１の通信手段に送信する機能を備えた、上記記録媒体の再生装置を提供することができる。これにより、上記記録媒体の記録内容に関する情報を、音声データとして上記ラベルに書き込むことができる。また、この結果、この音声データを非接触で読み出して音声で出力することによって、上記記録媒体に記録された記録内容を、容易かつ確実に確認することができるという効果を奏する。
【０１５５】
本発明にかかる再生装置は、以上のように、上記記録媒体に記録された音声データを再生する再生手段を備え、上記エンコード手段は、上記再生手段により再生された音声データの一部を上記記憶手段に応じた所定のフォーマットにエンコードする構成である。
【０１５６】
それゆえ、上記記録媒体から音声データを再生する際に、上記記録媒体に記録された音声データの一部を、上記ラベルの記憶手段にも同時に記憶させることができ、また、再生を行った記録媒体の記録内容の一部を自動的に上記ラベルの記憶手段に記憶させることが可能となる。つまり、上記の構成によれば、上記記録媒体に記録された音声データを、上記記録媒体の記録内容として上記ラベルの通信手段である第１の通信手段に音声データの形で送信することができる。
【０１５７】
このため、上記ラベルの記憶手段に上記記録媒体の記録内容を記録する手間を省くことができると共に、上記記録媒体に記憶された音声データの一部を上記ラベルの記憶手段に記憶させることができることから、その記録内容を正確に記憶させることができる。また、上記再生装置を用いて再生された記録内容を確認することにより、記録日時やタイトル等では内容の特定が困難な記録内容を容易に確認、特定することができるという効果を奏する。
【０１５８】
本発明にかかる再生装置は、以上のように、上記記録媒体の記録内容に関する情報を外部から音声で入力する音声データ入力手段を備え、上記エンコード手段は、上記音声データ入力手段により外部から入力された、上記記録媒体の記録内容に関する情報を、上記記憶手段に応じた所定のフォーマットにエンコードする構成である。
【０１５９】
それゆえ、上記記録媒体を再生する動作、つまり、上記記録媒体に記録された音声データを再生する動作とは別に上記記録媒体の記憶内容を上記ラベルの記憶手段に記憶させることができるので、上記記録媒体に記録された音声データ以外の、上記記録媒体の記憶内容に関する情報を、例えば口頭で、外部から入力することができる。また、上記の構成によれば、上記ラベルの記憶手段への音声データの書き込みを、上記記録媒体を再生する動作とは別に行うことで、記録媒体を、その再生位置に位置させる必要がない。このため、上記第２の通信手段を、上記再生装置の外装面に設けることが可能であり、このように上記第２の通信手段を当該再生装置の外装面に設けることにより、記録媒体をわざわざ再生装置に挿入することなく近づけるだけで、容易かつ短時間に、記録媒体の記録内容に関する情報、例えばインデックス情報を、上記第２の通信手段に送信、つまり、上記ラベルの記憶手段に記憶させることができるという効果を奏する。
【０１６０】
本発明にかかる再生装置は、以上のように、上記音声データを圧縮する圧縮手段をさらに備え、上記圧縮手段は、上記第１の通信手段に送信する音声データを、上記記録媒体に記録された音声データの圧縮率よりも高い圧縮率で圧縮する構成である。
【０１６１】
それゆえ、上記第１の通信手段に送信する音声データ、つまり、上記ラベルの記憶手段に書き込む音声データの圧縮率を、上記記録媒体に記録された音声データの圧縮率よりも高くすることで、上記記憶手段に記憶すべきデータ量を小さくすることができる。このため、記憶手段として、あまり大きな容量を持つことができない例えばＩＣメモリ等の記憶手段を用いた場合であっても、より多くのデータを記憶手段に記憶させることができるという効果を奏する。
【０１６２】
本発明にかかる記録／再生装置は、以上のように、音声データが所定のフォーマットで記憶された記憶手段と、該記憶手段に記憶された音声データの送信を非接触で行う第１の通信手段とを有するラベルが記録媒体若しくはそのカートリッジに装着された記録媒体の記録および／または再生を行う記録／再生装置であって、上記第１の通信手段から送信された音声データを非接触で受信する第２の通信手段と、上記第２の通信手段が受信した所定のフォーマットの音声データをデコードするデコード手段と、上記デコード手段によりデコードされた音声データを音声として出力する音声出力手段とを有する構成である。
【０１６３】
それゆえ、上記ラベルには、該ラベルが装着された記録媒体の記録内容に関する情報が、音声データとして記憶されており、この音声データが、非接触で読み出されて音声にて再生されるため、上記記録媒体に記録された記録内容を、容易かつ確実に確認することができる。
【０１６４】
また、上記ラベルは、その記憶手段に、音声データを該記憶手段に応じた所定のフォーマットで記憶することにより、記録媒体に記憶される、あるいは記憶された、音声データの一部を、その記憶手段に記憶させることが可能であり、記録媒体を再生することなく、記録内容を直に確認することが可能である。このため、例えば記録日時やタイトル等では内容の特定が困難な記録内容を容易に確認、特定することができる。
【０１６５】
そして、上記の構成によれば、上記記録／再生装置は、上記記録媒体に音声データを記録する動作あるいは上記記録媒体に記録された音声データを再生する動作とは別に、上記記録媒体に記録された音声データを読み出す、つまり、再生することができるので、上記記録媒体をその記録位置あるいは再生位置に位置させる必要がない。このため、上記第２の通信手段を当該記録／再生装置の外装面に設けることが可能であり、このように上記第２の通信手段が、当該記録／再生装置の外装面に設けられることで、上記記録媒体を当該記録／再生装置に挿入することなく、上記第２の通信手段に近づけるだけで、音声によって容易かつ確実かつ短時間に、上記記録媒体の記録内容を確認することができるという効果を奏する。
【図面の簡単な説明】
【図１】本発明の実施の一形態にかかる光ディスク記録装置の構成を示すブロック図である。
【図２】上記記録媒体用のラベルの概略構成を示す分解斜視図である。
【図３】本発明の実施の一形態にかかる光ディスク記録装置の他の構成を示す概略構成図である。
【図４】本発明の他の実施の形態にかかる光ディスク再生装置の構成を示すブロック図である。
【図５】本発明の他の実施の形態にかかる光ディスク記録／再生装置の構成を示すブロック図である。
【図６】従来のビデオテープカートリッジの構成を示す斜視図である。
【図７】従来のビデオテープカートリッジ再生装置の概略構成図である。
【符号の説明】
１    光ディスクカートリッジ（記録媒体のカートリッジ）
２    カートリッジラベル（ラベル）
３    アンテナ配線（通信手段、第１の通信手段）
４    ＩＣメモリ（記憶手段）
５    光デイスク（記録媒体）
６    記録装置
７    アンテナ基板（第２の通信手段）
８    メモリデータエンコード回路（エンコード手段）
９    音声データ圧縮回路（圧縮手段）
１０    ディスクデータエンコード回路
１１    光ピックアップ
１２    メモリデータデコード回路（デコード手段）
１３    圧縮データ伸長回路
１４    Ｄ／Ａ変換器
１５    スピーカ（音声出力手段）
１６    音声データ入力端子（音声データ入力手段）
１７    アンテナ基板（第２の通信手段）
３１    再生装置
３２    ディスクデータデコード回路
３３    音声データ出力端子
４１    記録／再生装置
４２    Ａ／Ｄ変換器
４３    マイク（音声データ入力手段）
【図１】
0004526720.tif 000002
【図２】
0004526720.tif 000003
【図３】
0004526720.tif 000004
【図４】
0004526720.tif 000005
【図５】
0004526720.tif 000006
【図６】
0004526720.tif 000007
【図７】
0004526720.tif 000008